(57)【要約】【課題】スルーホールでの減衰に対する最適なエンファシスの付与等を図る。【解決手段】受信回路１６の終端を解除した状態で、送信回路１２からステップ信号を信号伝送路１４を介して受信回路１６へ送信する。その反射信号の信号レベルと第１の参照電圧源１８ｄの第１の参照電圧Ｖref1とを比較する。反射信号の信号レベルが第１の参照電圧Ｖref1未満の容量性反射区間内の比較結果に基づいて該容量性反射区間内の区間検出信号を反射波検出回路１８ｅから出力する。【選択図】図１
2008252696.tif 000002
【特許請求の範囲】
【請求項１】
送信装置から信号伝送路を介して送信されたプリエンファシス調整用信号が受信装置で反射されて前記送信装置へ戻った前記プリエンファシス調整用信号に基づいて、前記送信装置から前記受信装置へ送信される送信信号に対して付与される所定のエンファシスを調整するプリエンファシス自動調整システムであって、
前記受信装置から戻る前記プリエンファシス調整用信号に前記信号伝送路の不整合部位で与えられる減衰の度合いを検出する検出手段と、
該検出手段から検出される減衰の度合いに基づいて前記送信信号に付与されるエンファシスを調整する調整手段とを前記送信装置に備えることを特徴とするプリエンファシス自動調整システム。
【請求項２】
前記プリエンファシス調整用信号は、ステップ信号であることを特徴とする請求項１記載のプリエンファシス自動調整システム。
【請求項３】
不整合部位は、容量性反射部位又は誘導性反射部位であることを特徴とする請求項１又は２記載のプリエンファシス自動調整システム。
【請求項４】
前記容量性反射部位は、前記信号伝送路のスルーホールであることを特徴とする請求項３記載のプリエンファシス自動調整システム。
【請求項５】
前記検出手段は、予め設定される参照電圧を出力する参照電圧源と、前記送信装置と前記信号伝送路との接続箇所と前記参照電圧源とに接続され、前記参照電圧と前記接続個所から入力される前記プリエンファシス調整用信号とを比較する比較回路とを含んで構成されることを特徴とする請求項１、２、３又は４記載のプリエンファシス自動調整システム。
【請求項６】
前記参照電圧源は、予め設定される第１の参照電圧を出力する第１の参照電圧源と、前記第１の参照電圧とは異なる予め設定される第２の参照電圧を出力する第２の参照電圧源と、前記第１の参照電圧と前記接続個所から入力される前記プリエンファシス調整用信号とを比較する第１の比較回路と、前記第２の参照電圧と前記接続個所から入力される前記プリエンファシス調整用信号とを比較する第２の比較回路とを含んで構成されることを特徴とする請求項５記載のプリエンファシス自動調整システム。
【請求項７】
前記調整手段は、予め取得されている複数の減衰の度合い対応のエンファシス設定値の中から検出された減衰の度合い対応のエンファシス設定値を得て調整を行うことを特徴とする請求項１乃至６のいずれか一に記載のプリエンファシス自動調整システム。
【請求項８】
前記プリエンファシス調整用信号は、前記送信装置から前記信号伝送路を介して前記受信装置へ終端解除信号を送信して前記受信装置の終端を解除した後に送信されることを特徴とする請求項１乃至７のいずれか一に記載のプリエンファシス自動調整システム。
【請求項９】
送信装置から信号伝送路を介して送信されたプリエンファシス調整用信号が受信装置で反射されて前記送信装置へ戻った前記プリエンファシス調整用信号に基づいて、前記送信装置から前記受信装置へ送信される送信信号に対して付与される所定のエンファシスを調整するプリエンファシス自動調整方法であって、
前記受信装置から戻る前記プリエンファシス調整用信号に前記信号伝送路の不整合部位で与えられる減衰の度合いを検出し、
検出される前記減衰の度合いに基づいて前記送信信号に付与されるエンファシスを調整することを特徴とするプリエンファシス自動調整方法。
【請求項１０】
前記プリエンファシス調整用信号は、ステップ信号であることを特徴とする請求項９記載のプリエンファシス自動調整方法。
【請求項１１】
不整合部位は、容量性反射部位又は誘導性反射部位であることを特徴とする請求項９又は１０記載のプリエンファシス自動調整方法。
【請求項１２】
前記容量性反射部位は、前記信号伝送路のスルーホールであることを特徴とする請求項１１記載のプリエンファシス自動調整方法。
【請求項１３】
前記減衰の度合いの検出は、予め設定される参照電圧と、前記送信装置の側で受信される前記プリエンファシス調整用信号とに基づいて行うことを特徴とする請求項９、１０、１１又は１２記載のプリエンファシス自動調整方法。
【請求項１４】
前記減衰の度合いの検出は、予め設定される第１の参照電圧と前記送信装置の側で受信される前記プリエンファシス調整用信号とに基づいて行った第１の結果と、前記第１の参照電圧とは異なる予め設定される第２の参照電圧と前記送信装置の側で受信される前記プリエンファシス調整用信号とに基づいて行った第２の結果とに基づいて行うことを特徴とする請求項９、１０、１１又は１２記載のプリエンファシス自動調整方法。
【請求項１５】
前記エンファシスの調整は、予め取得されている複数の減衰の度合い対応のエンファシス設定値の中から検出された減衰の度合い対応のエンファシス設定値を得て行うことを特徴とする請求項９乃至１４のいずれか一に記載のプリエンファシス自動調整方法。
【請求項１６】
前記プリエンファシス調整用信号は、前記送信装置から前記信号伝送路を介して前記受信装置へ終端解除信号を送信して前記受信装置の終端を解除した後に送信されることを特徴とする請求項９乃至１５のいずれか一に記載のプリエンファシス自動調整方法。
【請求項１７】
送信装置と不整合部位を有する信号伝送路との接続箇所に接続され、受信装置で反射されて前記接続個所から入力されるプリエンファシス調整用信号に応答して前記送信装置から送信される送信信号に対して付与される所定のエンファシス量を調整するためのエンファシス設定信号発生回路であって、
前記プリエンファシス調整用信号に前記不整合部位で与えられる減衰の度合いに対して予め設定される参照電圧を出力する参照電圧源と、
該参照電圧源及び前記接続個所に接続され、前記参照電圧と前記接続個所から入力される前記プリエンファシス調整用信号とを比較する比較回路と、
該比較回路の出力に基づいて前記減衰対応のエンファシス設定信号を出力する出力回路とを備えることを特徴とするエンファシス設定信号発生回路。
【請求項１８】
前記プリエンファシス調整用信号は、ステップ信号であることを特徴とする請求項１７記載のエンファシス設定信号発生回路。
【請求項１９】
不整合部位は、容量性反射部位又は誘導性反射部位であることを特徴とする請求項１７又は１８記載のエンファシス設定信号発生回路。
【請求項２０】
前記容量性反射部位は、前記信号伝送路のスルーホールであることを特徴とする請求項１７、１８又は１９記載のエンファシス設定信号発生回路。
【請求項２１】
前記参照電圧源は、予め設定される第１の参照電圧を出力する第１の参照電圧源と、前記第１の参照電圧とは異なる予め設定される第２の参照電圧を出力する第2の参照電圧源とからなり、前記比較回路は、前記第１の参照電圧と前記接続個所から入力される前記プリエンファシス調整用信号とを比較する第１の比較回路と、前記第２の参照電圧と前記接続個所から入力される前記プリエンファシス調整用信号とを比較する第２の比較回路とからなり、前記出力回路は、前記第１の比較回路及び前記第２の比較回路の出力に基づいて前記減衰対応のエンファシス設定信号を出力する回路であることを特徴とする請求項１７、１８、１９又は２０記載のエンファシス設定信号発生回路。
【発明の詳細な説明】
【技術分野】
【０００１】
この発明は、プリエンファシス自動調整システム及びその調整方法並びにエンファシス設定信号発生回路に関し、詳しくは信号伝送路に不整合部位があっても送信信号への最適なプリエンファシスの付与に有効なプリエンファシス自動調整システム及びその調整方法並びにそのエンファシス設定信号発生回路に関する。
【背景技術】
【０００２】
信号伝送システムにおいては、その中にプリエンファシス自動調整手段を従来から採用している。このプリエンファシス自動調整手段は、信号伝送システムの送信回路から信号伝送路を介して受信回路へ伝送される信号が信号伝送路での減衰の影響を除いて受信回路での信号の正常な受信を保証するための手段である。その一例として、図７に示す構成のものがある。
【０００３】
図７に示すプリエンファシス自動調整システム（以下、公知のシステムという）は、プリエンファシス自動調整に際して、ランダムパターン１０１で発生されるランダムパターンの信号をセレクタ１０３、送信回路１０５、そして信号伝送路１０７を介して受信回路１０９へ送信する。
そのランダムパターンの信号を受信する受信回路１０９では、そのＶeye判定部１１１でランダムパターンの信号と参照電位発生部１１３の参照電位とを比較して電圧方向のアイ開口の値（Ｖeye）を把握する。この把握は、サンプリングクロック制御部１１５から出力されるサンプリングクロックによって行うが、そのサンプリングクロック制御部１１５は、受信アイ開口の中央でのＶeyeとなるようにサンプリングクロックのタイミング制御が行われる。
【０００４】
上述のようにして把握されたＶeyeが所望のＶeyeより小さいならば、調整制御部１１７から判定結果を自動調整制御部１１９へ転送する。自動調整制御部１１９は、プリエンファシス強度調整信号を送信回路１０５へ送信する。送信回路１０５において、送信信号に付与されるプリエンファシスを所定値だけ変更する。
このフィードバック制御は、上述のＶeyeが最大となるまで繰り返して行われる。
上述したプリエンファシス自動調整当初においては図８のようなアイ開口の状態であった信号受信状態は、プリエンファシス調整が最適となる、すなわち、プリエンファシス調整が完了すると、アイ開口の状態は、図９のようになる。
【０００５】
また、プリエンファシス自動調整手段の例としは、特許文献１に開示されるものがある。
この特許文献１には、送信回路から送信したテスト信号を受信回路で反射させ、その反射されて来た信号を送信回路で有効に活用して所期の目的であるプリエンファシス自動調整を達成しようとするプリエンファシス自動調整手段が開示されている。
このプリエンファシス自動調整手段は、次のように構成されている。プリエンファシス自動調整に際して、送信側からの制御により受信回路の受信端の開放を行う。この状態において、送信回路からステップパルスのテスト信号を信号伝送線路を介して受信回路へ送信する。そのテスト信号は、受信回路で反射されて送信回路へ戻る。
【０００６】
その反射信号の電位と予め設定されている比較電位とを比較回路で比較して電位差を測定する。この電位差を受け取るコントローラは、高周波減衰の大小を判断する。大きいならば、コントローラは、出力強度調整用回路に制御信号を送り、高周波減衰の大きさに応じた送信信号の高周波成分を強調する、つまり、送信信号にプリエンファシスを付与する。
【特許文献１】特開２００４−１１２０５９号公報
【発明の開示】
【発明が解決しようとする課題】
【０００７】
上述の公知のシステムは、送信回路にも、また、受信回路にも、プリエンファシス自動調整を行うのに必要な回路を設けなければならず、送信回路及び受信回路を構成するのに必要な回路面積の増大が避けられない。
このような物理的構成に加えて、受信回路において受信したランダムパターン信号のアイ開口が落ち着いてから、Ｖeyeを測定し、プリエンファシス強度調整信号（エンファシス強弱指示信号）を送信側へ送り返す。そして、プリエンファシス強度調整信号対応のエンファシスをランダムパターン信号に付与して受信回路へ送信し、そのランダムパターン信号についてのＶeyeを測定して付与されたエンファシスの適否を判定するという手順を繰り返えさなければ最適なプリエンファシス自動調整を施行し得ないという技術的制限が不可避的な欠点として存在する。
この欠点は、調整完了までの時間の増大を招くばかりでなく、調整手順の複雑化となっている。
【０００８】
また、上述した特許文献１に記載するプリエンファシス自動調整手段は、上記公知のシステムの欠点をほぼ解消し得るが、その解決対象は、信号伝送線路に不整合部位を有しない理想的な信号伝送線路、例えば、スルーホールがない信号伝送路１０７ｂが回路基板１０７ａに形成され（図１０）、ステップ信号を受信回路で全反射される（図１１）場合を前提としているため、なお、改良の余地が残されている。
【０００９】
この発明は、上述の事情に鑑みてなされたもので、信号伝送路の不整合部位で生ずる減衰の相殺に有効な送信信号へのプリエンファシスの付与を達成し得るプリエンファシス自動調整システム及びその調整方法並びにそのエンファシス設定信号発生回路を提供することを目的としている。
【課題を解決するための手段】
【００１０】
上記課題を解決するために、請求項１記載の発明は、送信装置から信号伝送路を介して送信されたプリエンファシス調整用信号が受信装置で反射されて前記送信装置へ戻った前記プリエンファシス調整用信号に基づいて、前記送信装置から前記受信装置へ送信される送信信号に対して付与される所定のエンファシスを調整するプリエンファシス自動調整システムに係り、前記受信装置から戻る前記プリエンファシス調整用信号に前記信号伝送路の不整合部位で与えられる減衰の度合いを検出する検出手段と、該検出手段から検出される減衰の度合いに基づいて前記送信信号に付与されるエンファシスを調整する調整手段とを前記送信装置に備えることを特徴としている。
【００１１】
請求項２記載の発明は、請求項１記載のプリエンファシス自動調整システムに係り、前記プリエンファシス調整用信号は、ステップ信号であることを特徴としている。
【００１２】
請求項３記載の発明は、請求項１又は２記載のプリエンファシス自動調整システムに係り、不整合部位は、容量性反射部位又は誘導性反射部位であることを特徴としている。
【００１３】
請求項４記載の発明は、請求項３記載のプリエンファシス自動調整システムに係り、前記容量性反射部位は、前記信号伝送路のスルーホールであることを特徴としている。
【００１４】
請求項５記載の発明は、請求項１、２、３又は４記載のプリエンファシス自動調整システムに係り、前記検出手段は、予め設定される参照電圧を出力する参照電圧源と、前記送信装置と前記信号伝送路との接続箇所と前記参照電圧源とに接続され、前記参照電圧と前記接続個所から入力される前記プリエンファシス調整用信号とを比較する比較回路とを含んで構成されることを特徴としている。
【００１５】
請求項６記載の発明は、請求項５記載のプリエンファシス自動調整システムに係り、前記参照電圧源は、予め設定される第１の参照電圧を出力する第１の参照電圧源と、前記第１の参照電圧とは異なる予め設定される第２の参照電圧を出力する第２の参照電圧源と、前記第１の参照電圧と前記接続個所から入力される前記プリエンファシス調整用信号とを比較する第１の比較回路と、前記第２の参照電圧と前記接続個所から入力される前記プリエンファシス調整用信号とを比較する第２の比較回路とを含んで構成されることを特徴としている。
【００１６】
請求項７記載の発明は、請求項１乃至６のいずれか一に記載のプリエンファシス自動調整システムに係り、前記調整手段は、予め取得されている複数の減衰の度合い対応のエンファシス設定値の中から検出された減衰の度合い対応のエンファシス設定値を得て調整を行うことを特徴としている。
【００１７】
請求項８記載の発明は、請求項１乃至７のいずれか一に記載のプリエンファシス自動調整システムに係り、前記プリエンファシス調整用信号は、前記送信装置から前記信号伝送路を介して前記受信装置へ終端解除信号を送信して前記受信装置の終端を解除した後に送信されることを特徴としている。
【００１８】
請求項９記載の発明は、送信装置から信号伝送路を介して送信されたプリエンファシス調整用信号が受信装置で反射されて前記送信装置へ戻った前記プリエンファシス調整用信号に基づいて、前記送信装置から前記受信装置へ送信される送信信号に対して付与される所定のエンファシスを調整するプリエンファシス自動調整方法に係り、前記受信装置から戻る前記プリエンファシス調整用信号に前記信号伝送路の不整合部位で与えられる減衰の度合いを検出し、検出される前記減衰の度合いに基づいて前記送信信号に付与されるエンファシスを調整することを特徴としている。
【００１９】
請求項１０記載の発明は、請求項９記載のプリエンファシス自動調整方法に係り、前記プリエンファシス調整用信号は、ステップ信号であることを特徴としている。
【００２０】
請求項１１記載の発明は、請求項９又は１０記載のプリエンファシス自動調整方法に係り、不整合部位は、容量性反射部位又は誘導性反射部位であることを特徴としている。
【００２１】
請求項１２記載の発明は、請求項１１記載のプリエンファシス自動調整方法に係り、前記容量性反射部位は、前記信号伝送路のスルーホールであることを特徴としている。
【００２２】
請求項１３記載の発明は、請求項９、１０、１１又は１２記載のプリエンファシス自動調整方法に係り、前記減衰の度合いの検出は、予め設定される参照電圧と、前記送信装置の側で受信される前記プリエンファシス調整用信号とに基づいて行うことを特徴としている。
【００２３】
請求項１４記載の発明は、請求項９、１０、１１又は１２記載のプリエンファシス自動調整方法に係り、前記減衰の度合いの検出は、予め設定される第１の参照電圧と前記送信装置の側で受信される前記プリエンファシス調整用信号とに基づいて行った第１の結果と、前記第１の参照電圧とは異なる予め設定される第２の参照電圧と前記送信装置の側で受信される前記プリエンファシス調整用信号とに基づいて行った第２の結果とに基づいて行うことを特徴としている。
【００２４】
請求項１５記載の発明は、請求項９乃至１４のいずれか一に記載のプリエンファシス自動調整方法に係り、前記エンファシスの調整は、予め取得されている複数の減衰の度合い対応のエンファシス設定値の中から検出された減衰の度合い対応のエンファシス設定値を得て行うことを特徴としている。
【００２５】
請求項１６記載の発明は、請求項９乃至１５のいずれか一に記載のプリエンファシス自動調整方法に係り、前記プリエンファシス調整用信号は、前記送信装置から前記信号伝送路を介して前記受信装置へ終端解除信号を送信して前記受信装置の終端を解除した後に送信されることを特徴としている。
【００２６】
請求項１７記載の発明は、送信装置と不整合部位を有する信号伝送路との接続箇所に接続され、受信装置で反射されて前記接続個所から入力されるプリエンファシス調整用信号に応答して前記送信装置から送信される送信信号に対して付与される所定のエンファシス量を調整するためのエンファシス設定信号発生回路に係り、前記プリエンファシス調整用信号に前記不整合部位で与えられる減衰の度合いに対して予め設定される参照電圧を出力する参照電圧源と、該参照電圧源及び前記接続個所に接続され、前記参照電圧と前記接続個所から入力される前記プリエンファシス調整用信号とを比較する比較回路と、該比較回路の出力に基づいて前記減衰対応のエンファシス設定信号を出力する出力回路とを備えることを特徴としている。
【００２７】
請求項１８記載の発明は、請求項１７記載のエンファシス設定信号発生回路に係り、前記プリエンファシス調整用信号は、ステップ信号であることを特徴としている。
【００２８】
請求項１９記載の発明は、請求項１７又は１８記載のエンファシス設定信号発生回路に係り、不整合部位は、容量性反射部位又は誘導性反射部位であることを特徴としている。
【００２９】
請求項２０記載の発明は、請求項１７、１８又は１９記載のエンファシス設定信号発生回路に係り、前記容量性反射部位は、前記信号伝送路のスルーホールであることを特徴としている。
【００３０】
請求項２１記載の発明は、請求項１７、１８、１９又は２０記載のエンファシス設定信号発生回路に係り、前記参照電圧源は、予め設定される第１の参照電圧を出力する第１の参照電圧源と、前記第１の参照電圧とは異なる予め設定される第２の参照電圧を出力する第２の参照電圧源とからなり、前記比較回路は、前記第１の参照電圧と前記接続個所から入力される前記プリエンファシス調整用信号とを比較する第１の比較回路と、前記第２の参照電圧と前記接続個所から入力される前記プリエンファシス調整用信号とを比較する第２の比較回路とからなり、前記出力回路は、前記第１の比較回路及び前記第２の比較回路の出力に基づいて前記減衰対応のエンファシス設定信号を出力する回路であることを特徴としている。
【発明の効果】
【００３１】
この発明によれば、送信装置から受信装置へ送信されたプリエンファシス調整用信号が受信装置で反射され、そして送信装置へ戻るプリエンファシス調整用信号に信号伝送路の不整合部位で与えられる減衰の度合いを検出し、その減衰の度合いに基づいて送信信号に付与されるエンファシスを調整するようにしているので、不整合部位で与えられる減衰に対する最適なエンファシスを極めて短時間で得ることが可能になる。その調整手順の大幅な簡略化も得られる。
【発明を実施するための最良の形態】
【００３２】
この発明は、送信装置から受信装置へプリエンファシス調整用信号を送信すること、その信号を受信装置で反射させること、送信装置へ戻るプリエンファシス調整用信号に信号伝送路の不整合部位で与えられる減衰の度合いを検出すること、そしてその減衰の度合いに基づいて送信信号に付与されるエンファシスを調整することを含んで構成される。
【実施例１】
【００３３】
図１は、この発明の実施例１であるプリエンファシス自動調整システムの電気的構成を示す図、図２は、図１の信号伝送路としてスルーホールがある信号配線を示す図、図３は、図２に示す信号伝送路の受信端で反射が生じたときの反射信号の波形を示す図、図４は、図１の信号伝送路がスルーホールがある信号配線である場合の図１に示すプリエンファシス自動調整システムの動作を説明する図、また、図５は、図１の信号伝送路がスルーホールがある信号配線である場合の信号減衰特性を示す図である。
この実施例のプリエンファシス自動調整システム１０は、信号配線にスルーホールがある場合でも最適なプリエンファシスを設定し得る回路に係り、自動調整制御部１１と、送信回路１２と、信号伝送路１４と、受信回路１６と、反射波検出回路１８と、エンファシス調整設定回路２０とから構成されている。
【００３４】
自動調整制御部１１は、自動調整開始信号を信号線１１ａを介して受信回路１６へ送信するほか、エンファシス調整設定回路２０からのエンファシス設定信号に応答して自動調整開始信号の送信を停止するように構成されている。
送信回路１２は、出力バツファ１２ａ、ステップ信号発生部１２ｓ及びセレクタ１２ｔを有して構成される。送信回路１２は、送信信号を信号伝送路１４に送出するほか、ステップ信号発生部１２ｓのステップ信号をセレクタ１２ｔ、出力バッフア１２ａを介して送出し得るように構成されている。出力バツファ１２ａは、エンファシス設定値に応じたエンファシスを送信信号に付与する機能を有する。
信号伝送路１４は、図２に示すように、配線基板１４ａの一面側１４ｂに形成された信号配線１４ｃが、配線基板１４ａの信号層乗り換え用スルーホール１４ｄを介して配線基板１４ａの他面側１４ｅに形成された信号配線１４ｆに接続されて形成される例である。スルーホール１４ｄは、伝送される信号に対して容量性反射を呈する伝送路部位である。
【００３５】
受信回路１６は、終端回路１６ａが設けられており、その終端回路１６ａは、スイッチ１６ｂと終端抵抗１６ｃとからなり、スイッチ１６ｂは、自動調整制御部１１から送信されて来る自動調整開始信号によって開閉されるように構成されている。信号伝送路１４に入力バッファ１６ｄが接続されている。
【００３６】
反射波検出回路１８は、第１の反射波検出回路１８ａと、第２の反射波検出回路１８ｂと、サンプリングクロック回路１８ｃとからなる。
【００３７】
第１の反射波検出回路１８ａは、第１の比較回路１８ｄと、第１の区間検出回路１８ｅとからなる。第１の比較回路１８ｄは、第１の参照電圧Ｖref1を出力する第１の参照電圧源１８ｆの出力と、出力バッファ１２ａと信号伝送路１４との接続個所１２ｂとに接続され、その出力は第１の区間検出回路１８ｅに接続されている。
第１の参照電圧Ｖref1は、反射波信号の低い信号レベルを検出するために予め設定される参照電圧である。
第１の区間検出回路１８ｅは、第１の比較回路１８ｄの信号とサンプリングクロック回路１８ｃからのサンプリングクロックに応答して第１の比較回路１８ｄの信号が第１の参照電圧Ｖref1未満のとき、高レベルの信号（図４の１８ｄ出力）を出力する一方、第１の比較回路１８ｄの信号が第１の参照電圧Ｖref1を超えているとき、低レベルの信号（図４の１８ｄ出力）を出力するように構成されている。第１の区間検出回路１８ｅが、高レベルとなっている時間期間の信号を第１の区間検出信号という。
第１の区間検出回路１８ｅの出力は、エンファシス調整設定回路２０の第１の区間検出信号入力に接続されている。
【００３８】
第２の反射波検出回路１８ｂは、第２の比較回路１８ｇと、第３の比較回路１８ｈと、第２の区間検出回路１８ｉとからなる。第２の比較回路１８ｇは、第２の参照電圧Ｖref2を出力する第２の参照電圧源１８ｊの出力と上述の接続個所１２ｂとに接続され、その出力は第２の区間検出回路１８ｉの一方の入力に接続されている。第３の比較回路１８ｈは、第３の参照電圧Ｖref3を出力する第３の参照電圧源１８ｋの出力と上記接続個所１２ｂとに接続され、その出力は第２の区間検出回路１８ｉの他方の入力に接続されている。
【００３９】
第２の参照電圧Ｖref2は、反射波信号に対して所定の低位側信号レベルを検出するために予め設定される参照電圧であり、第３の参照電圧Ｖref3は、反射波信号に対して所定の高位側信号レベルを検出するために予め設定される参照電圧である。
第２の区間検出回路１８ｉは、第２の比較回路１８ｇ及び第３の比較回路１８ｈの出力信号レベル（図４の１８ｇ出力、１８ｈ出力）とサンプリングクロック回路１８ｃからのサンプリングクロックに応答して上記２つの出力信号レベルについての排他的論理和出力を出力するように構成される。反射波信号が上記第２の参照電圧Ｖref2と、第３の参照電圧Ｖref3との間に存在するときに第２の区間検出回路１８ｉから出力される信号（図４の区間検出（ＥＸ−ＯＲ））を第２の区間検出信号という。
第２の区間検出回路１８ｉの出力は、エンファシス調整設定回路２０の第２の区間検出信号入力に接続されている。
【００４０】
エンファシス調整設定回路２０は、第１の区間検出回路１８ｅ及び第２の区間検出回路１８ｉからの各区間検出信号を受信して各区間検出信号対応のエンファシス設定値を含むエンファシス設定信号を生成するように構成されている。その出力は、送信回路１２の出力バツファ１２ａに接続されている。エンファシス設定信号は、自動調整制御部１１へ供給されて自動調整開始信号を表す低レベル“０”を高レベル“１”に戻すのに用いられる。
エンファシス設定値は、予め、信号伝送路の評価基板を用いて上述の各区間検出信号に対して設定されるべき値を取得してエンファシス調整設定回路２０に保持される。
【００４１】
次に、図１乃至図５を参照して、この実施例の動作について説明する。
送信回路１２から通常の送信信号を受信回路１６へ送信するのに先立って、先ず、自動調整制御部１１から信号線１１ａを介してセレクタ１１ｔ及び受信回路１６へ自動調整開始信号を送信する。この信号によってセレクタ１１ｔがステップ信号発生部１１ｓを出力バッファ１２ａ側へ切り換える一方、受信回路１６のスイッチ１６ｂを開放して所定の終端状態を解除する。
終端が解除された状態の受信回路１６へ、ステップ信号（図１のＳ）（プリエンファシス調整用信号）が信号伝送路１４を介して受信回路１６へ送信される。信号伝送路１４の信号配線１４ｃ、スルーホール１４ｄ、信号配線１４ｆで減衰されて受信されるステップ信号（図１のａ）は、受信回路１６で全反射され、受信ステップ信号と同じ波形の信号（図１のｂ）が送信回路１２側へ戻される。
【００４２】
送信回路１２へ反射されて戻される信号は、そのときにも、信号伝送路１４の信号配線１４ｃ、スルーホール１４ｄ、信号配線１４ｆで減衰され、接続箇所１２ｂに到達するときにはさらに減衰される。その減衰の様子を図３に示す。図３に示すように、反射信号（反射波）の中に、スルーホール１４ｄでの容量性反射（図３及び図４のＳ１）と、受信回路１６での全反射（図３及び図４のＳ２）とが現れる。
【００４３】
この反射信号（図１のｃ）は、接続箇所１２ｂから反射波検出回路１８に入力される。その反射信号中の容量性反射（スルーホール）での減衰成分は、第１の反射波検出回路１８ａで検出される。その検出態様は、次の通りである。
反射信号（図１のｃ）の信号レベルと第１の参照電圧源１８ｄの第１の参照電圧Ｖref1とが比較される。反射信号の信号レベルが第１の参照電圧Ｖref1を超える容量性反射区間（図３、図４）前後においては第１の比較回路１８ｄから低レベルの信号（図４の１８ｄ出力Ｌ）が出力される。
これに対して、容量性反射区間においては図３に示すように減衰量が増大して信号レベルが落ち込む。これを周波数で表すと、ｆ＝１／ｔ（秒）となり、この周波数前後の信号減衰量にはグラフで表すと図５のようなピーク（共振点）が現れる。
このような減衰が反射信号に与えられるから、上記容量性反射区間については、反射信号の信号レベルが第１の参照電圧Ｖref1未満になり、第１の比較回路１８ｄから高レベルの信号（図４の１８ｄ出力Ｈ）が出力されるので、第１の反射波検出回路１８ｅから第１の区間検出信号が出力され、該信号は、エンファシス調整設定回路２０へ転送される。
【００４４】
上述のスルーホールでの減衰が検出された後に、接続箇所１２ｂから反射波検出回路１８に入力される反射信号（図１のｃ）の信号配線１４ｃ、１４ｆでの減衰成分が、第２の反射波検出回路１８ｂで検出される。その検出態様は、次の通りである。
第２の反射波検出回路１８ｂの第２の比較回路１８ｇにおいて、反射信号（図１のｃ）の信号レベルと第２の参照電圧源１８ｊの第２の参照電圧Ｖref2とが比較される。反射信号の信号レベルが第２の参照電圧Ｖref2未満のときは第２の比較回路１８ｇから低レベルの信号（図４の１８ｇ出力Ｌ）が出力され、反射信号の信号レベルが第２の参照電圧Ｖref2を超えると第２の比較回路１８ｇから高レベルの信号（図４の１８ｇ出力Ｈ）が出力される。
第２の比較回路１８ｇの動作と同様の動作が、第３の比較回路１８ｈで生ずる。すなわち、反射信号（図１のｃ）の信号レベルと第３の参照電圧源１８ｋの第３の参照電圧Ｖref3とが比較される。反射信号の信号レベルが第３の参照電圧Ｖref3未満のときは第３の比較回路１８ｈから低レベルの信号（図４の１８ｈ出力Ｌ）が出力され、反射信号の信号レベルが第３の参照電圧Ｖref3を超えると第３の比較回路１８ｈから高レベルの信号（図４の１８ｈ出力Ｈ）が出力される。
したがって、第２の反射波検出回路１８ｉからは、両出力信号の排他的論理和で表される第２の区間検出信号が出力され、該信号は、エンファシス調整設定回路２０へ転送される。
【００４５】
エンファシス調整設定回路２０は、第１の反射波検出回路１８ｅ及び第２の反射波検出回路１８ｉから出力される各区間検出信号に応答してこれら各区間検出信号対応のエンファシス設定信号を送信回路１２の出力バツファ１２ａに転送し、送信回路１２から送信される送信信号にエンファシス設定信号対応のエンファシスを付与するのに用いられる。エンファシス設定信号は、また、自動調整制御部１１へ供給されて自動調整開始信号の送信解除にも用いられる。
【００４６】
このように、この実施例によれば、プリエンファシス自動調整において、受信回路の終端を解除した後、送信回路からスルーホールを有する信号伝送路を介してステップ信号を送信し、受信回路からの反射波の傾き（鈍り度合い）からスルーホールでの減衰分と全反射した信号の減衰分とを算出してこれらの減衰分に基づいたエンファシス調整設定値を得るようにしたので、スルーホールで生ずる反射（容量性反射）に対する最適なエンファシスを送信信号に付与することが可能になる。
これにより、調整時間の短縮、回路規模の縮小、調整手順の簡素化を達成することができる。
【実施例２】
【００４７】
図６は、この発明の実施例２であるプリエンファシス自動調整システムの電気的構成を示す図である。
この実施例の構成が、実施例１のそれと大きく異なる点は、スルーホールでの反射波の検出に２つの参照電圧を用いるようにした点である。
すなわち、この実施例のプリエンファシス自動調整システム１０Ａは、図６に示すように、実施例１の第１の反射波検出回路を次のように構成したことにその特徴部分がある。
この実施例での第１の反射波検出回路１８Ａは、第１の比較回路１８ｄと、第４の比較回路１８ｌと、第３の区間検出回路１８ｎとからなる。第３の区間検出回路１８ｎは、エンファシス調整設定回路２０ａに接続されている。
第１の比較回路１８ｄは、第１の参照電圧Ｖref1を出力する第１の参照電圧源１８ｆの出力と上記した接続個所１２ｂとに接続され、その出力は第３の区間検出回路１８ｎの第１の区間検出入力に接続されている。
第１の参照電圧Ｖref1は、反射波信号の低い第１の信号レベルを検出するために予め設定される参照電圧である。
【００４８】
第４の比較回路１８ｌは、第４の参照電圧Ｖref4を出力する第４の参照電圧源１８ｍの出力と上記した接続個所１２ｂとに接続され、その出力は第３の区間検出回路１８ｎの第２の区間検出入力に接続されている。
第４の参照電圧Ｖref4は、上記第１の信号レベルより高い信号レベルを検出するために予め設定される参照電圧である。
【００４９】
第３の区間検出回路１８ｎは、第１の比較回路１８ｄと第４の比較回路１８ｍの出力信号レベルとサンプリングクロック回路１８ｃからのサンプリングクロックに応答して上記２つの出力信号レベルについての排他的論理和出力を出力するように構成される。反射波信号が上記第１の参照電圧Ｖref1と、第４の参照電圧Ｖref4との間に存在するときに第３の区間検出回路１８ｎから出力される信号は、実施例１と同様の第１の区間検出信号である。
第３の区間検出回路１８ｎの出力は、エンファシス調整設定回路２０ａの第２の区間検出信号入力に接続されている。
【００５０】
エンファシス調整設定回路２０ａは、第３の区間検出回路１８ｎ及び第２の区間検出回路１８ｉからの各区間検出信号を受信して各区間検出信号対応のエンファシス設定値を含むエンファシス設定信号を生成するように構成されている。その出力は、送信回路１２の出力バツファ１２ａに接続されている。
エンファシス設定値は、実施例１と同様にして，予め、取得されてエンファシス調整設定回路２０ａに保持される。
【００５１】
次に、図６を参照して、この実施例の動作を説明する。
この実施例の動作は、第１の区間検出信号の発生態様に実施例１と次のような差違があるだけで、その他の動作は同じである。
この実施例の第１の区間検出信号は、第３の反射波検出回路１８Ａから次のようにして出力される。すなわち、反射信号（図６のｃ）の信号レベルと第１の参照電圧源１８ｆの第１の参照電圧Ｖref1とが第１の比較回路１８において比較される。反射信号の信号レベルが第１の参照電圧Ｖref1未満のときは第１の比較回路１８ｄから低レベルの信号が出力され、反射信号の信号レベルが第１の参照電圧Ｖref1を超えると第１の比較回路１８ｄから高レベルの信号が出力される。
【００５２】
そして、反射信号（図１のｃ）の信号レベルと第４の参照電圧源１８ｍの第４の参照電圧Ｖref4とが第４の比較回路１８ｌにおいて比較される。反射信号の信号レベルが第４の参照電圧Ｖref4未満のときは第４の比較回路１８ｌから低レベルの信号が出力され、反射信号の信号レベルが第４の参照電圧Ｖref4を超えると第４の比較回路１８ｌから高レベルの信号が出力される。
第１の比較回路１８ｄの出力信号と第４の比較回路１８ｌの信号との排他的論理和を取る第３の反射波検出回路１８ｎから第１の区間検出信号が出力され、該信号は、エンファシス調整設定回路２０ａへ転送される。
【００５３】
上述の第１の区間検出信号と第２の区間検出回路１８ｂからの第２の区間検出信号とを受信したエンファシス調整設定回路２０ａは、実施例１と同様に、これら両区間検出信号に応答して両区間検出信号対応のエンファシス設定信号を送信回路１２の出力バツファ１２ａ及び自動調整制御部１１へ転送する。そのエンファシス設定信号は、自動調整開始信号の送信解除及び送信回路１２から送信される送信信号へのエンファシスの付与に用いられる。
【００５４】
このように、この実施例においても、スルーホールを有する信号伝送路におけるスルーホールで生ずる反射に対する最適なエンファシスを送信信号に付与することが可能になる等の効果が得られる。
【００５５】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、スルーホール以外の容量性反射や、誘導性反射部位を有する信号伝送路でもこの発明を実施することができる。
また、ステップ信号をプリエンファシス自動調整に用いる例を示したが、ステップ信号と同等に使用可能な波形の信号でもよい。
また、実施例では、全反射の場合について説明したが、この発明の実施可能なその他の反射形式でもよい。
【産業上の利用可能性】
【００５６】
ここに開示しているプリエンファシス自動調整システム等は、配線基板の例について実施する場合のほか、各種の信号伝送路でも利用し得る。
【図面の簡単な説明】
【００５７】
【図１】この発明の実施例１であるプリエンファシス自動調整システムの電気的構成を示す図である。
【図２】図１の信号伝送路としてスルーホールがある信号配線を示す図である。
【図３】図２に示す伝送路の受信端で反射が生じたときの反射信号の波形を示す図である。
【図４】図１の信号伝送路がスルーホールがある信号配線である場合の図１に示すプリエンファシス自動調整システムの動作を説明する図である。
【図５】図１の信号伝送路がスルーホールがある信号配線である場合の信号減衰特性を示す図である。
【図６】この発明の実施例２であるプリエンファシス自動調整システムの電気的構成を示す図である。
【図７】従来のプリエンファシス自動調整システムの電気的構成を示す図である。
【図８】図７に示すシステムでの調整初期におけるアイ開口を示す図である。
【図９】図７に示すシステムでの調整完了時のアイ開口を示す図である。
【図１０】スルーホールがない信号配線を示す図である。
【図１１】図１０に示す信号配線の受信端で反射が生じたときの反射信号の波形を示す図である。
【符号の説明】
【００５８】
１０、１０Ａ      プリエンファシス自動調整システム
１２      送信回路
１４      信号伝送路
１６      受信回路
１８ｄ      第１の比較回路（比較回路）、
１８ｆ      第１の参照電圧源（参照電圧源）
１８ｌ      第４の比較回路（第２の比較回路）
１８ｍ      第４の参照電圧源（第２の参照電圧源）
【図１】
2008252696.tif 000003
【図２】
2008252696.tif 000004
【図３】
2008252696.tif 000005
【図４】
2008252696.tif 000006
【図５】
2008252696.tif 000007
【図６】
2008252696.tif 000008
【図７】
2008252696.tif 000009
【図８】
2008252696.tif 000010
【図９】
2008252696.tif 000011
【図１０】
2008252696.tif 000012
【図１１】
2008252696.tif 000013